(57)【特許請求の範囲】
【請求項１】
撮影により取得したデジタル画像データを撮影画像の一覧として表示する表示手段を備えたデジタルカメラにおいて、
前記デジタル画像データのプリント時におけるプリント指定情報を設定するプリント指定情報設定手段と、
前記プリント指定情報が設定されたデジタル画像データについて、前記プリント指定情報に応じた表示形態にて前記表示手段に表示し、さらに前記プリント指定情報に前記プリント時におけるプリント枚数が含まれている場合、前記各デジタル画像データのプリント枚数および総プリント枚数を前記表示手段に表示する制御手段とを備えたことを特徴とするデジタルカメラ。
【請求項２】
撮影により取得したデジタル画像データを撮影画像の一覧として表示する表示手段を備えたデジタルカメラにおいて、
前記デジタル画像データのプリント時におけるプリント指定情報を設定するプリント指定情報設定手段と、
前記プリント指定情報に前記プリント時におけるプリント枚数が含まれている場合、前記プリント時における総プリント枚数上限値を設定する上限値設定手段と、
前記プリント指定情報が設定されたデジタル画像データについて、前記プリント指定情報を該デジタル画像データと対応させて前記表示手段に表示し、さらに前記プリント指定情報に前記プリント時におけるプリント枚数が含まれている場合、前記各デジタル画像データのプリント枚数、総プリント枚数、および前記総プリント枚数上限値に対する残プリント枚数を前記表示手段に表示する制御手段とを備えたことを特徴とするデジタルカメラ。
【請求項３】
前記プリント枚数が前記総プリント枚数上限値を超えた場合に警報を発する警報手段をさらに備えたことを特徴とする請求項２記載のデジタルカメラ。
【請求項４】
前記プリント指定情報が、インデックス画像の指定、プリントサイズ、表面処理、白枠の有無、トリミング情報および／または付属情報を含むことを特徴とする請求項１から３のいずれか１項記載のデジタルカメラ。
【請求項５】
前記制御手段は、前記デジタル画像データを前記表示手段に表示するに際し、前記プリント指定情報が設定されたデジタル画像データとそれ以外のデジタル画像データとを識別可能に表示する手段であることを特徴とする請求項１から４のいずれか１項記載のデジタルカメラ。
【請求項６】
前記制御手段は、前記デジタル画像データを前記表示手段に表示するに際し、前記プリント指定情報が設定されたデジタル画像データのみを表示する手段であることを特徴とする請求項１から４のいずれか１項記載のデジタルカメラ。
【発明の詳細な説明】
【０００１】
【発明の属する技術分野】
本発明はデジタルカメラに関し、とくに撮影により取得したデジタル画像データをプリントする際のプリント指定情報を設定可能なデジタルカメラに関するものである。
【０００２】
【従来の技術】
デジタル電子スチルカメラ（以下デジタルカメラとする）においては、撮像により取得した画像をデジタル画像データとしてデジタルカメラ内部に設けられた内部メモリやＩＣカードなどの記録媒体に記録し、記録されたデジタル画像データに基づいて、プリンタやモニタに撮像により取得した画像を表示することができる。また、このようなデジタルカメラとして、液晶モニタを備えたものも知られている。このように液晶モニタを備えたデジタルカメラにおいては、撮像した画像を直ちに液晶モニタに表示することができる。
【０００３】
このようなデジタルカメラにおいて取得されたデジタル画像データをプリントなどとして再生するラボシステムに対して、注文枚数などを設定するラボ注文機能を搭載することが考えられる。この場合、デジタルカメラにおいてプリント枚数、コマ番号、プリントサイズ、トリミング、表面処理などのプリント指定情報を設定し、これをデジタル画像データとともに記録媒体に記録し、ラボシステムにおいて記録媒体からプリント指定情報を読み出し、このプリント指定情報に応じてデジタル画像データをプリントすることができる。また、ラボシステムに限らず、デジタルカメラにおいて取得されたデジタル画像データをユーザがプリンタにより再生する場合にも、プリンタにより記録媒体からプリント指定情報を読み出し、このプリント指定情報に応じてデジタル画像データをプリントすることができる。
【０００４】
【発明が解決しようとする課題】
しかしながら、複数のデジタル画像データについてそれぞれ複数種類からなるプリント指定情報を設定すると、どのデジタル画像データに対してどのようなプリント指定情報を設定したかが分からなくなってしまい、ユーザにとって非常に不都合である。
【０００５】
本発明は上記事情に鑑みなされたものであり、設定したプリント指定情報を容易に確認することができるデジタルカメラを提供することを目的とするものである。
【０００６】
【課題を解決するための手段】
本発明によるデジタルカメラは、撮影により取得したデジタル画像データを撮影画像として表示する表示手段を備えたデジタルカメラにおいて、
前記デジタル画像データのプリント時におけるプリント指定情報を設定するプリント指定情報設定手段と、
前記プリント指定情報が設定されたデジタル画像データについて、前記プリント指定情報を該デジタル画像データと対応させて前記表示手段に表示する制御手段とを備えたことを特徴とするものである。
【０００７】
ここで、プリント指定情報としては、前記プリント時におけるプリント枚数、インデックス画像の指定、プリントサイズ、表面処理、白枠の有無、トリミング情報および／または撮影日時に関する情報などの付属情報を含むことが好ましい。また、プリント指定情報は、上述したようなラボシステムに限らず、ユーザが自らデジタル画像データをプリンタにより再生する場合にも用いることができるものである。
【０００８】
また、前記制御手段を、前記デジタル画像データを前記表示手段に表示するに際し、前記プリント指定情報が設定されたデジタル画像データとそれ以外のデジタル画像データとを識別可能に表示する手段としてもよく、前記デジタル画像データを前記表示手段に表示するに際し、前記プリント指定情報が設定されたデジタル画像データのみを表示する手段としてもよい。
【０００９】
さらに、前記制御手段を、前記プリント指定情報が設定されたデジタル画像データについて、前記プリント指定情報に応じた表示形態にて前記表示手段に表示する手段としてもよい。
【００１０】
ここで、プリント指定情報に応じた表示形態とは、プリント指定情報としてプリントサイズ、表面処理、白枠の有無、トリミング、付属情報、インデックス画像などが設定された場合に、これらの設定であることが視覚的に認識できるように、実際にプリントされた状態と対応させて画像を表示することをいう。
【００１１】
また、前記プリント指定情報に前記プリント時におけるプリント枚数が含まれている場合、前記制御手段を、総プリント枚数を前記表示手段に表示する手段としてもよく、前記プリント時における総プリント枚数上限値を設定する上限値設定手段をさらに備えた場合には、前記制御手段を、前記総プリント枚数上限値に対する残プリント枚数を前記表示手段に表示する手段としてもよい。この場合、前記制御手段に、前記プリント枚数が前記総プリント枚数上限値を超えた場合に警報を発する警報手段を設けることが好ましい。
【００１２】
さらに、前記プリント指定情報に前記プリント時におけるプリント枚数が含まれている場合、前記制御手段を、プリントコマ数を前記表示手段に表示する手段としてもよく、プリント枚数に対応するプリント価格を前記表示手段に表示する手段としてもよい。また、プリント価格を表示する場合、前記プリント価格の上限値を設定するプリント価格上限値設定手段をさらに備え、前記制御手段に、前記プリント価格が前記上限値を超えた場合に警報を発する警報手段を設けることが好ましい。
【００１３】
【発明の効果】
本発明のデジタルカメラによれば、プリント指定情報が設定されたデジタル画像データについて、デジタル画像データに対応させてプリント指定情報を表示手段に表示するようにしたため、プリント指定情報が設定されたデジタル画像データとそのプリント指定情報の内容を表示手段において確認することができる。
【００１４】
また、プリント指定情報が設定されたデジタル画像データと、プリント指定情報が設定されなかったデジタル画像データとを識別可能に表示する、あるいはプリント指定情報が設定されたデジタル画像データのみを表示することにより、デジタル画像データに対するプリント指定情報の有無を容易に確認することができる。
【００１５】
さらに、プリント指定情報が設定されたデジタル画像データについて、プリント指定情報に応じた表示形態によって表示することにより、表示されたデジタル画像データについてのプリント指定情報の内容を視覚的に認識することができる。
【００１６】
さらにまた、プリント指定情報にプリント枚数が含まれている場合に、総プリント枚数を表示することにより、ユーザは総プリント枚数を確認することができ、これによりプリントの価格などを推測することができる。
【００１７】
さらに、総プリント枚数上限値を設定することにより、予め設定した枚数以上のプリントを指定することを防止することができる。またこの場合に、総プリント枚数上限値に対する残プリント枚数を表示することにより、残りのプリント枚数を容易に確認することができる。さらにこの場合、プリント枚数が総プリント枚数を超えた場合に音声などにより警報、あるいは表示手段への警報表示を行うことにより、プリント枚数が上限値に達したことを容易に認識することができる。
【００１８】
また、プリントコマ数を表示することにより、ユーザはプリントされるコマ数を容易に認識することができる。
【００１９】
さらに、プリント枚数に対するプリント価格を表示することにより、ユーザは現在のプリント価格を容易に認識することができる。この場合、プリント価格の上限値を設定し、プリント価格がこの上限値を超えた場合に警報を行うことにより、プリント価格が上限値に達したことを容易に認識することができる。
【００２０】
【発明の実施の形態】
以下図面を参照して本発明の実施形態について説明する。
【００２１】
図１は本発明の実施形態によるデジタルカメラの構成を示す背面斜視図である。図１に示すように、本発明の実施形態によるデジタルカメラは、カメラ本体１と、カメラ本体１の背面に設けられた液晶モニタ（以下モニタとする）２と、撮像を行うためのレリーズボタン３と、モニタ２の文字表示をオン／オフするための表示オン／オフボタン４と、後述するようにしてモニタ２に表示される画像を切り換えるあるいは注文枚数などを変更するインクリメントボタン５およびデクリメントボタン６と、種々の処理を実行させるための実行ボタン７と、カメラモード、再生モードおよび消去モードなどカメラのモードを設定するためのモード設定ダイヤル８と、デジタルカメラの電源をオン／オフするための電源スイッチ９とを備える。
【００２２】
ここで、モード設定ダイヤル８において設定されるカメラモードとは、デジタルカメラにより撮影を行う、すなわち撮像により取得された画像データを後述するメモリカードに格納するモードであり、再生モードとはメモリカードに記録された画像データをモニタ２に表示して再生するモードであり、消去モードとはカメラ本体１内に設けられたメモリカードに記録された不要な画像データを消去するあるいはメモリカードのフォーマットを行うモードである。
【００２３】
また、レリーズボタン３、インクリメントボタン５、デクリメントボタン６、実行ボタン７およびモード設定ダイヤル８を操作することにより、撮像により取得したデジタル画像データに対して、プリント時におけるプリント枚数、インデックス画像の指定、プリントサイズ、表面処理、白枠の有無、トリミング情報および／または付属情報などのプリント指定情報が設定され、これらのプリント指定情報が撮像された画像と対応されてモニタ２に表示される。
【００２４】
ここで、プリント枚数とはそのコマに対するプリント時の枚数、プリントサイズとはプリントする紙サイズ、表面処理とは光沢、絹目などプリントする紙の表面処理、白枠とはプリントする紙に白枠を付けるか否か、トリミングとはプリントする画像にトリミングを行うか否か、付属情報とは画像の撮影日時などをプリントに焼き込むか否かを表すものである。
【００２５】
そして、撮像した画像をモニタ２に表示しプリント指定情報を設定することにより、プリント指定情報が設定された画像がそのプリント指定情報とともにモニタ２に表示される。
【００２６】
図２から図８はプリント指定情報が設定された画像をモニタ２に表示した状態を示す図である。図２に示すように、コマ番号１の画像に対してプリント枚数を３枚に設定した場合は、コマ番号１の画像が「３枚」のプリント枚数を表す情報とともにモニタ２に表示される。
【００２７】
また、撮像により取得される複数の画像を、図３に示すように縮小してモニタ２に表示するに際して、プリント指定情報が設定された画像（コマ番号１，５，９）にのみ枠を付けるなどして、プリント指定情報が設定されていない画像とプリント指定情報が設定された画像とを識別することが好ましい。さらに、画像を１コマずつ順に表示する場合には、プリント指定情報が設定された画像のみを表示するようにしてもよい。
【００２８】
さらに、図４に示すように、プリント指定情報が設定された画像のみをモニタ２に表示するようにしてもよい。この場合、モニタ２の画像が表示されている部分以外のスペースに、プリントされるコマ数および総プリント枚数を表示するようにしてもよい。
【００２９】
また、プリント指定情報としてプリントサイズを設定した場合、プリントサイズに対応した大きさで画像を表示するようにしてもよい。例えば、コマ番号１の画像を拡大サイズ、コマ番号３の画像を標準サイズ、コマ番号７の画像をパノラマサイズと設定した場合、その表示形態は図５に示すものとなる。さらに、画像を１コマずつ順に表示する場合には、プリントサイズに対応した大きさの画像として各画像を表示するようにしてもよい。
【００３０】
さらに、プリント指定情報として、光沢、絹目などの表面処理、白枠の有無、撮影日時などの付属情報、あるいはトリミングを設定した場合には、これらの情報が設定されていることが認識可能なように、プリント指定情報が設定された画像を表示すればよい。例えば、コマ番号３の画像については表面処理として絹目を指定し、コマ番号７の画像について白枠を付ける旨を指定し、コマ番号１２の画像についてはトリミングを設定し、コマ番号１６の画像については日付を焼き込む旨を設定した場合、その表示形態は図６に示すようなものとなる。図６において、コマ番号３の画像については絹目が指定されたことを表すように絹目模様が表示され、コマ番号７の画像については白枠が表示され、コマ番号１２の画像についてはトリミングされた領域が表示され、コマ番号１６の画像については日付が表示されている。なお、トリミングを指定した場合には、トリミングされた領域のみを拡大して表示するようにしてもよい。
【００３１】
また、プリント指定情報としてインデックス画像を設定した場合には、モニタ２には図７に示すように複数の画像からなるインデックス画像が表示される。インデックス画像をプリント指定情報が設定された他の画像とともに表示する場合には、インデックス画像をそのまま表示すると画像が細かすぎて却って見難くなるため、図６のコマ番号２４の画像のようにインデックス画像である旨を表す「ＩＮＤＥＸ」の文字表示のみを行うことが好ましい。
【００３２】
さらに、本実施形態のカメラに総プリント枚数の上限値を設定する上限値設定手段を設けてプリント枚数の上限値を設定するようにしてもよい。この場合、モニタ２には図８に示すように総プリント枚数の上限値を表示するとともに、この上限値に対する残プリント枚数を表示するようにしてもよい。さらに、プリント枚数が上限値を超えた場合に、モニタ２を点滅させる、警報音を発するなどにより、ユーザに残プリント枚数が０となったことを知らしめるようにしてもよい。
【００３３】
さらに、本実施形態のカメラに設定したプリント枚数に対応するプリント価格を表示するようにしてもよい。この場合、プリント価格の上限値を設定し、この上限値を越えたときに警報を発するようにしてもよい。
【図面の簡単な説明】
【図１】本発明の実施形態によるデジタルカメラの構成を示す後方斜視図
【図２】モニタに表示される画像の例を示す図
【図３】モニタに表示される画像の例を示す図
【図４】モニタに表示される画像の例を示す図
【図５】モニタに表示される画像の例を示す図
【図６】モニタに表示される画像の例を示す図
【図７】モニタに表示される画像の例を示す図
【図８】モニタに表示される画像の例を示す図
【符号の説明】
１    カメラ本体
２    モニタ
３    レリーズボタン
４    表示オン／オフボタン
５    インクリメントボタン
６    デクリメントボタン
７    実行ボタン
８    モード設定ダイヤル
９    電源スイッチ
【図１】
0004493106.tif 000002
【図２】
0004493106.tif 000003
【図３】
0004493106.tif 000004
【図４】
0004493106.tif 000005
【図５】
0004493106.tif 000006
【図６】
0004493106.tif 000007
【図７】
0004493106.tif 000008
【図８】
0004493106.tif 000009